(57)【要約】【課題】スライドガラスを確実に固定できて、しかもスライドガラスの着脱作業が容易な顕微鏡観察用加温装置を提供する。【解決手段】スライドガラス７３の一方の長辺縁７３Ａをガイド面１６に対して押し当てる方向に寄せると、当接部２５の当接面２６に当接し、この当接面２６はアーム２３の基端２３Ａを中心とする弾性的回動により、退避スペース２１側に退避して、ガイド面１６まで突出位置が後退する。この状態で、スライドガラス７３の他方の長辺縁７３Ｂを下げて、ガイド面１８側に入れ、スライドガラス７３から手を放すと、スライドガラス７３がガイド面１６、１８の間で弾性的に押圧された状態で加温載置面６１に載置されて、位置固定される。加温載置面６１の左右は開放されているので、スライドガラス７３を摺動させるだけでスライドガラス７３を載置部３から通り抜けさせて取り外すことができる。【選択図】  図７
2020030230.tif 000002
【特許請求の範囲】
【請求項１】
上面をスライドガラスの加温載置面とする載置部と、前記加温載置面を挟んで上方に突出して設けられた一対のガイド面と、一方のガイド面を後退させて設けられた退避スペースと、前記一方のガイド面から他方のガイド面側に向けて突出し、当接相手を弾性的に押圧すると共に、自らは弾性的に回動して回動分だけ前記退避スペースに退避する押え片とを備え、
スライドガラスは、前記加温載置面に載せられると、当接相手となって前記押え片により前記他方のガイド面に向けて押圧されて位置固定されるが、同時に前記一対のガイド面の間の摺動による通り抜けも許容されることを特徴とする顕微鏡観察用加温装置。
【請求項２】
請求項１に記載した顕微鏡観察用加温装置において、
押え片は、退避スペースのガイド面側の一方の端縁側を基端として回動するアームと、前記アームの遊端側の他方のガイド面に向けて膨らんだ当接部とからなることを特徴とする顕微鏡観察用加温装置。
【請求項３】
請求項２に記載した顕微鏡観察用加温装置において、
押え片と退避スペースは、載置部の上方突出部分のガイド面側の縁部の輪郭を利用して形成されていることを特徴とする顕微鏡観察用加温装置。
【請求項４】
請求項１から３のいずれかに記載した顕微鏡観察用加温装置において、
加温載置面は四角形状をなしており、対向する２辺側に一対のガイド面が立ち上がり、残りの対向する２辺側は開放されて、スライドガラスが載置姿勢のまま通り抜け可能になっていることを特徴とする顕微鏡観察用加温装置。
【請求項５】
請求項１から４のいずれかに記載した顕微鏡観察用加温装置において、
顕微鏡ステージに設置し、水平方向へ移動する移動装置に搭載できるよう、前記移動装置側に設けられた一対の固定用凸部に凹凸嵌合により固定される一対の固定用凹部が、載置部に設けられていることを特徴とする顕微鏡観察用加温装置。
【発明の詳細な説明】
【技術分野】
【０００１】
本発明は顕微鏡観察用加温装置に係り、特にスライドガラスに載置された精子等の検体を加温しながら観察できる顕微鏡観察用加温装置に関するものである。
【背景技術】
【０００２】
顕微鏡観察を行う際に検体を載せるものとしてスライドガラスが広く用いられているが、精子のような加温を必要とするものを顕微鏡観察するような場合には、例えば、スライドガラスを特許文献１、２に示す顕微鏡観察用加温装置の加温載置面に載置して加温しながら、精子の数をカウントしたり、運動性を観察したりする。そして、加温載置面を駆動装置によって水平方向へ必要に応じて動かす。
【先行技術文献】
【特許文献】
【０００３】
【特許文献１】特開平７−９２０６３号公報
【特許文献２】特開平１１−３８３２９号公報
【発明の概要】
【発明が解決しようとする課題】
【０００４】
上記従来の顕微鏡観察用加温装置ではスライドガラスを加温載置面に載せるだけで固定していない。そのため、加温載置面を移動したり不用意にスライドガラスに触ってしまった場合には、スライドガラスが加温載置面に対して位置決めした基準位置から相対的に動いてしまうおそれがある。
スライドガラスが基準位置から動いてしまうと、観察をやり直さなければならなくなる。
一方、このような観察は多数の検体に対して一つの顕微鏡を共用して行う場合が殆どであり、加温載置面にスライドガラスを順次着脱する必要がある。このため、スライドガラスを安易に固定してしまうと、今度は着脱作業が面倒となる。
【０００５】
本発明は上記従来の問題点に着目して為されたものであり、スライドガラスを確実に固定できて、しかもスライドガラスの着脱作業を容易に行うことが可能な顕微鏡観察用加温装置の提供を、その目的とする。
【課題を解決するための手段】
【０００６】
本発明は上記課題を解決するためになされたものであり、請求項１の発明は、上面をスライドガラスの加温載置面とする載置部と、前記加温載置面を挟んで上方に突出して設けられた一対のガイド面と、一方のガイド面を後退させて設けられた退避スペースと、前記一方のガイド面から他方のガイド面側に向けて突出し、当接相手を弾性的に押圧すると共に、自らは弾性的に回動して回動分だけ前記退避スペースに退避する押え片とを備え、スライドガラスは、前記加温載置面に載せられると、当接相手となって前記押え片により前記他方のガイド面に向けて押圧されて位置固定されるが、同時に前記一対のガイド面の間の摺動による通り抜けも許容されることを特徴とする顕微鏡観察用加温装置である。
【０００７】
請求項２の発明は、請求項１に記載した顕微鏡観察用加温装置において、押え片は、退避スペースのガイド面側の一方の端縁側を基端として回動するアームと、前記アームの遊端側の他方のガイド面に向けて膨らんだ当接部とからなることを特徴とする顕微鏡観察用加温装置である。
【０００８】
請求項３の発明は、請求項２に記載した顕微鏡観察用加温装置において、押え片と退避スペースは、載置部の上方突出部分のガイド面側の縁部の輪郭を利用して形成されていることを特徴とする顕微鏡観察用加温装置である。
【０００９】
請求項４の発明は、請求項１から３のいずれかに記載した顕微鏡観察用加温装置において、加温載置面は四角形状をなしており、対向する２辺側に一対のガイド面が立ち上がり、残りの対向する２辺側は開放されて、スライドガラスが載置姿勢のまま通り抜け可能になっていることを特徴とする顕微鏡観察用加温装置である。
【００１０】
請求項５の発明は、請求項１から４のいずれかに記載した顕微鏡観察用加温装置において、顕微鏡ステージに設置し、水平方向へ移動する移動装置に搭載できるよう、前記移動装置側に設けられた一対の固定用凸部に凹凸嵌合により固定される一対の固定用凹部が、載置部に設けられていることを特徴とする顕微鏡観察用加温装置である。
【発明の効果】
【００１１】
本発明の顕微鏡観察用加温装置によれば、スライドガラスを確実に固定できて、しかもスライドガラスの着脱作業を容易に行うことが可能となる。従って、作業者の負担を軽減することができると共に作業効率を向上させることが可能となる。
【図面の簡単な説明】
【００１２】
【図１】本発明の実施の形態に係る顕微鏡観察用加温装置の上面を上にした状態の斜視図である。
【図２】本発明の実施の形態に係る顕微鏡観察用加温装置の下面を上にした状態の斜視図である。
【図３】図１の顕微鏡観察用加温装置の分解斜視図である。
【図４】（ａ）は図１の顕微鏡観察用加温装置の平面図、（ｂ）は右側面図である。
【図５】（ａ）は図４（ａ）のＡ−Ａ断面図、（ｂ）は図４（ａ）のＢ−Ｂ断面図、（ｃ）は図４（ａ）のＣ−Ｃ断面図である。
【図６】図１の顕微鏡観察用加温装置を顕微鏡のステージに設置した移動装置に搭載した状態の斜視図である。
【図７】図１の顕微鏡観察用加温装置にスライドガラスを載置する作業を説明するための斜視図である。
【図８】図１の顕微鏡観察用加温装置にスライドガラスを載置した状態の斜視図である。
【図９】（ａ）は図１の顕微鏡観察用加温装置にスライドガラスを載置した状態の平面図、（ｂ）は右側面図である。
【図１０】図１の顕微鏡観察用加温装置に載置したスライドガラスを外す作業を説明するための斜視図である。
【図１１】図１の顕微鏡観察用加温装置を顕微鏡のステージに設置した他のタイプの移動装置に搭載した状態の斜視図である。
【発明を実施するための形態】
【００１３】
本発明の実施の形態に係る顕微鏡観察用加温装置１を図面にしたがって説明する。
以下、図１において矢印で示す方向を、顕微鏡観察用加温装置１の上下、前後、左右の各方向の基準として説明する。
図１、図２に示すように、符号３は載置部を示し、この載置部３は枠状本体５と裏カバー３３を組み合わせて構成されている。載置部３はＡＢＳ樹脂製で弾性を有するものとなっている。
【００１４】
図３に示すように、枠状本体５は上下方向の断面が長方形の枠状になっており、長辺側が左右方向に延び、短辺側が前後方向に延びている。そして、上下方向には後述するヒーターの透明発熱板等を収容できる程度の厚みを有している。
枠状本体５の上面部の中央には相似状に大きな長方形の開口部７が形成されている。この開口部７の対向する一対の長辺側の側部の内壁には中間部に段差９が設けられて、それより下方がその段差分だけ広くなっている（図５参照）。
枠状本体５の上面のうち、一対の短辺側は、前後方向の端部を除いて、上面が一段下がって一対の連携部１１、１３になっている。これらの上面は水平で同じ高さ位置となっている。連携部１１、１３の上面位置は、その他の上面位置よりも約１．０ｍｍ低くなっている。
【００１５】
この連携部１１、１３が存在することにより、残りの一対の長辺側の上面は相対的に一段高く上方突出した状態になっている。この一対の長辺側はそれぞれ対向する方向に向かってフランジ状に延出しており、このフランジ部分１５、１７の縁が開口部７の前後方向の縁となっている。この縁端は垂直面になっており、これでガイド面１６、１８が構成されている。
【００１６】
図３の拡大図に示すように、後側のフランジ部分１５には、切欠き１９が設けられている。切欠き１９は、上面から見ると、Ｌ字状をしており、ガイド面１６を始端として後方に向かって後退しながら延びた後、延び方向を変え、ほぼ直角の角部を経て右方向に延びて終端１９Ａに至っており、それぞれ延び方向に直交する方向に一定の幅寸法をもっている。後方延び切欠き部分１９Ｂの幅寸法より、右方延び切欠き部分１９Ｃの幅寸法が小さくなっている。途中の２つの角部と、終端１９Ａには丸みが付けられている。この面状の切欠き１９で退避スペース２１が構成されている。
【００１７】
右方延び切欠き部分１９Ｃの前側には、切り欠かれずに残された部分があり、この部分でアーム２３が構成されている。このアーム２３の基端２３Ａは終端１９Ａに前側で隣接する部分になっている。
アーム２３の前後方向に横断する幅寸法はほぼ同じになっているが、先端の遊端部は前方に向けて膨らんで正方形状をなしている。この正方形状部分で当接部２５が構成されている。この当接部２５はアーム２３に連なる長方形部分の前側に長方形部分がもう一つ連設されたようになっており、その連設分だけガイド面１６から前方のガイド面１８に向かって突出している。当接部２５の縁端はガイド面１６と同様に垂直面になっており、ガイド面１６と連なっている。この当接部２５の端縁のうち特にガイド面１６に平行な部分で当接面２６が構成されている。
当接部２５が後側フランジ部分１５の左右方向のほぼ中央に位置するように、切欠き１９の箇所が調整されている。
このように、後側フランジ部分１５の縁部の輪郭で退避スペース２１とアーム２３と当接部２５が構成されている。
【００１８】
枠状本体５の左右両側の連携部１１、１３の外面（枠状本体５の左右の側面）には、それぞれ、固定用凹部２７、２７が形成されている。この固定用凹部２７、２７は枠状本体５の対角線寄りに位置している。また、固定用凹部２７は、内方に向かって凹んでおり、側方だけでなく、下方にも開口している。そして、固定用凹部２７、２７の凹み分だけ、連携部１１、１３の内面側は膨出している。
また、枠状本体５の前端面には、電気コード２９を挿入するための切欠き３１が形成されている。
なお、枠状本体５の外側に現れる角部は面取されアール状に形成されている。
【００１９】
上記のように構成された枠状本体５に裏側から当てて枠状本体５の内部を保護するものとして、裏カバー３３を備えている。
裏カバー３３は平板状になっており、相似状に開口部３５が形成されている。そして、この開口部３５には、切欠き３７が形成されている。この開口部３５、切欠き３７は、枠状本体５の開口部７、切欠き１９に対応した輪郭になっている。
また、裏カバー３３の左右の端面には枠状本体５の固定用凹部２７、２７の内側面側への膨出部分に対応して切欠き３９、３９が形成されている。更に、裏カバー３３の前端面には突出片４１が形成されており、この突出片４１は枠状本体５の切欠き３１に対応している。
【００２０】
枠状本体５におけるスライドガラスの加温載置面は、ガラスヒーター４３の上面で構成されている。
このガラスヒーター４３は長方形の板状を為している。ガラスヒーター４３は上面に透明導電膜が付着された下ガラス４５、この下ガラス４５に上方から重ねられて固定される上ガラス４７及び下ガラス４５の透明導電膜に接触して設けられる一対の電極４９、５１から成る。電極４９、５１には図示しないリード線が接続されている。
また、ガラスヒーター４３の下面には温度センサー５３が固定され、この温度センサー５３は裏面に露出しないよう保護カバー５５によって覆われている。温度センサー５３にも図示しないリード線が接続されている。このリード線は電極４９、５１に接続されたリード線と共に切欠き３１から挿入された電気コード２９の裸出したものとなっている。なお、電気コード２９は図示しないコントローラーに連結される。
【００２１】
ガラスヒーター４３の透明導電膜には電気コード２９、一対の電極４９、５１を介して通電されて加温される。温度センサー５３によって検知された値がコントローラーへ伝達され、この検知結果をもとに透明導電膜に対する通電が制御されるので、設定温度に維持されるようになっている。
【００２２】
図２、図３及び図５に示すようにガラスヒーター４３は枠状本体５へその下面側から収容され開口部７を閉鎖するように備えられている。フランジ部分１５、１７の下面に両面粘着テープ５７、５９によって固定されている。この状態ではガラスヒーター４３が縁部を除いて枠状本体５の開口部７から露出しており、この露出した上面がスライドガラスの加温載置面６１（図１参照）になっている。この加温載置面６１は連携部１１、１３の上面と同じ高さとなっている。一対のフランジ部分１５、１７は加温載置面６１より上方へ１．０ｍｍ突出している。
この固定状態では、図４（ａ）に示すように、アーム２３はその基端２３Ａから遊んだ状態になっており、仮想線で示すように、基端２３Ａを中心としてガラスヒーター４３の上面を摺動しながらの弾性的回動が可能になっている。従って、当接面２６の突出端がガイド面１６とほぼ面一になるまで、退避スペース２１内に退避できる。
また、裏カバー３３は枠状本体５に下面側から内部へ収容されて段差９に当接する状態で固定されている（図５参照）。
顕微鏡観察用加温装置１は以上のように構成されているので、加温載置面６１の左右方向は面一で開放されている。
【００２３】
次に、この顕微鏡観察用培養装置１の使用方法を説明する。
図６において符号６３は顕微鏡のステージを示し、このステージ６３上には移動装置６５のベース６７が固定されている。
ベース６７には顕微鏡観察用培養装置１の載置部３が搭載されている。右側面が固定当接部６９の縁に当接され、左側面が押圧部７１によって右方に押圧されて圧接状態で固定されている。押圧部７１は図示しないバネによって右方へ付勢されており、この付勢を利用して載置部３が圧接されている。押圧部７１には差込み部が設けられており、載置部３が搭載され、押圧部７１が付勢方向に動くと、固定用凹部２７へ入り込んで凹凸嵌合により固定される。
【００２４】
顕微鏡観察用培養装置１にスライドガラス７３を載置する作業を説明する。
図７に示すように、スライドガラス７３の一方の長辺縁７３Ａを斜め下方に向けてガイド面１６に対して押し当てる方向に寄せると、当接部２５の当接面２６に先ず当接するが、この当接面２６はアーム２３の基端２３Ａを中心とする弾性的回動により、退避スペース２１側に退避して、ガイド面１６まで突出位置が後退する。
この後退により、スライドガラス７３の長辺縁７３Ａが（ガイド面１６〜当接面２６〜ガイド面１６）に当接する。この状態で、スライドガラス７３の他方の長辺縁７３Ｂを下げて、ガイド面１８側に入れ、スライドガラス７３から手を放すと、図８、図９に示すように、スライドガラス７３がガイド面１６、１８の間で弾性的に押圧された状態で加温載置面６１に載置されて、図６に示すように位置固定された状態となる。このように、スライドガラス７３を片手で簡単に設置できる。
【００２５】
スライドガラス７３の厚さ寸法は１．０ｍｍであり、スライドガラス７３の上面とガイド面１６、１８に連なるフランジ部分１５、１７の上面の高さは同じになる。
スライドガラス７３は、ガラスヒーター４３からの熱を受け取って加温される。
【００２６】
そして、移動装置６５のハンドル７５、７７を操作して、顕微鏡観察用培養装置１の載置部３と共にスライドガラス７３を移動し、スライドガラス７３上の観察対象部、例えば精子を対物レンズ７９に対向させて、スライドガラス７３上の精子の数をカウントしたり、運動性を観察したりする。
スライドガラス７３はガイド面１６、１８に圧接状態でガイドされ、且つ加温載置面６１に載置された状態で固定されるので、観察中にスライドガラス７３が不用意に動いてしまうのを防ぐことができる。従って、スライドガラス７３が対物レンズ７９からずれることはなく、数をカウントし直さなければならなくなってしまう等の不都合を回避することができる。
また、前述のようにスライドガラス７３の上面とフランジ部分１５、１７の上面は同じ高さとなっているので、特に高倍率で観察を行う場合において対物レンズ７９をスライドガラス３の上面に近づけても、対物レンズ７９がフランジ部分１５、１７の上面に接触する不都合が生じることはない。
【００２７】
顕微鏡観察用培養装置１に載置されているスライドガラス７３上の観察が終了した場合は、スライドガラス７３を加温載置面６１の左右いずれかの方向へ摺動させる。加温載置面６１の左右は開放されているので、スライドガラス７３を摺動させるだけでスライドガラス７３を載置部３から通り抜けさせて取り外すことができる。スライドガラス７３は傾ける必要がないので、その上の精子が滑落することはない。
そして、新たに観察を行うスライドガラス７３を上述のように設置する。
このように顕微鏡観察用培養装置１ではスライドガラス７３を容易に着脱することができ、多数のスライドガラス７３を順次着脱する場合でも、作業者の負担を軽減することができると共に作業効率を向上させることが可能である。
【００２８】
図１１に移動装置６５とは異なる種類の移動装置８５に顕微鏡観察用培養装置１を搭載した状態を示す。
この移動装置８５の押圧部８７を顕微鏡観察用加温装置１の枠状本体５の角部に圧接させて固定するものである。この場合でも枠状本体５の角部は面取されアール状に形成されているので、顕微鏡観察用加温装置１は移動装置８５に確実に固定される。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では加温載置面の左右方向が開放された構成としたが、いずれか一方側を開放する構成としてもよい。市販されているスライドガラスの厚さを考慮すると、ガイド面１６、１８の加温載置面６１からの高さは、０．５ｍｍから２．０ｍｍの範囲で設定することが好ましい。
また、載置部３の枠状本体５は、特にＡＢＳ樹脂には限定されず、本発明で期待される弾性的機能を発揮できれば、その他のプラスチックでも金属でもよい。
【符号の説明】
【００３０】
１…顕微鏡観察用加温装置                ３…載置部            ５…枠状本体
７…開口部            ９…段差  １１、１３…連携部    １５、１７…フランジ部分
１６、１８…ガイド面  １９…切欠き      １９Ａ…終端
１９Ｂ…後方延び切欠き部分              １９Ｃ…右方延び切欠き部分
２１…退避スペース    ２３…アーム      ２５…当接部          ２６…当接面
２７…固定用凹部      ２９…電気コード  ３１…切欠き          ３３…裏カバー
３５…開口部          ３７…切欠き      ３９…切欠き          ４１…突出片
４３…ガラスヒーター  ４５…下ガラス    ４７…上ガラス        ４９、５１…電極
５３…温度センサー    ５５…保護カバー  ５７、５９…両面粘着テープ
６１…加温載置面      ６３…ステージ    ６５…移動装置        ６７…ベース
６９…固定当接部      ７１…押圧部      ７３…スライドガラス
７５、７７…ハンドル  ７９…対物レンズ  ８５…移動装置        ８７…押圧部
【図１】
2020030230.tif 000003
【図２】
2020030230.tif 000004
【図３】
2020030230.tif 000005
【図４】
2020030230.tif 000006
【図５】
2020030230.tif 000007
【図６】
2020030230.tif 000008
【図７】
2020030230.tif 000009
【図８】
2020030230.tif 000010
【図９】
2020030230.tif 000011
【図１０】
2020030230.tif 000012
【図１１】
2020030230.tif 000013